(57)【特許請求の範囲】
【請求項１】
少なくとも下記の（ａ）〜（ｄ）の構成部材すなわち：
（ａ）内面に放物面を有する長手のトラフ形の主ミラーと、
（ｂ）この主ミラーの前記長手方向の両端にそれぞれ傾斜して配置されて、当該主ミラーの内面を開放するようにして設けられた一対の平面ミラーと、
（ｃ）これら平面ミラーにそれぞれ対向して前記主ミラーの焦点距離に配置された光通信用の２個の無指向性の発光素子と、
（ｄ）これら発光素子のそれぞれに配設されて前記平面ミラーに該発光素子からの光の一部を反射するとともに該発光素子からの光の残部が前記主ミラー内面に向かうように設けられた皿形の小ミラーと、
を備えていることを特徴とした光通信用ランプ装置。
【請求項２】
少なくとも下記の（ａ）〜（ｄ）の構成部材すなわち：
（ａ）内面に放物面を有し、この放物面の焦点距離Ａが２±０．１ｍｍとなる、長手のトラフ形の主ミラーと、
（ｂ）このトラフ形ミラーを前記長手方向に左右に分ける中心軸線から、距離Ｂが６．５±０．１ｍｍで、前記主ミラーの内底からの高さＣが、１．０±０．１ｍｍである位置に、中心が配置されると共に前記主ミラーの内底に対する角度Ｄが３５±１度で、前記主ミラーの内面を開放するようにして設けられた一対の平面のミラーと、
（ｃ）前記主ミラーを前記長手方向に左右に分ける中心軸線から、距離Ｅが５．９±０．１ｍｍで、前記主ミラーの内底からの高さが、前記焦点距離Ａである位置に配設された、光通信用の２個の無指向性の発光素子と、
（ｄ）これら発光素子のそれぞれに配置されると共に、皿形であって、底面の直径Ｆが０．５８±０．０３ｍｍで、深さＧが０．２±０．０３ｍｍであり、周壁の開き角度Ｈが９０±２度であって、前記平面のミラーに該発光素子からの光の一部を反射するとともに該発光素子からの光の残部が前記主ミラー内面に向かうように設けられた小ミラーと、
を備えていることを特徴とした光通信用ランプ装置。
【請求項３】
請求項２の記載において、前記主ミラーならびに一対の平面のミラーによって形成される、角リング形の開口に設置されて、幅Ｊが１３±１ｍｍで、奥行Ｋが７．４±１ｍｍである開口部を有すると共に、厚さＩが０．１〜５ｍｍである、リードフレームを備えていることを特徴とした光通信用のランプ装置。
【請求項４】
請求項２に記載の各寸法が一定の比率で拡大または縮小された寸法を各対応部分の寸法として有する請求項２の装置に相似形の光通信用ランプ装置。
【請求項５】
請求項３に記載の各寸法が一定の比率で拡大または縮小された寸法を各対応部分の寸法として有する請求項３の装置に相似形の光通信用ランプ装置。
【発明の詳細な説明】
【０００１】
【産業上の利用分野】
本発明は、光通信用のランプ装置に関し、とくに、この発明は、放物面トラフ形のミラーを有する光通信用のランプ装置に関する。本発明は具体的には、直線上に配置されている光通信用の受信装置に対して、光通信用の光を発するためのランプ装置に関する。本発明は、さらに具体的に述べると、赤外線によるデータの空間伝送において、前方４ｍ先の水平±６０度の角度内に、言い換えると直線上にして左右それぞれ約７ｍの範囲内に、光によるデータ送信をすることができる小形のランプ装置に関する。
【０００２】
【従来の技術】
従来よりたとえば図１１に示すように、室内におけるローカル・エリア・ネットワーク（ＬＡＮ）、壁に向かって設置されたランゲッジ・ラボラトリ（ＬＬ）学習施設、パチンコなどの遊戯施設、デパートのキャッシュ・レジスターなど、左右数ｍの直線上に配置された装置１１１、１１２、１１３、１１４と、装置１１０を介して、データのやりとりを行う場合には、専用の配線１２１、１２２を用いて行なわれていた。
【０００３】
しかしながら、装置１１１〜１１４の配置替えや、新規な装置１１５、１１６、１１７の設置を行なう場合には、天井１３１や壁１３２や床１３３などの配線工事も、同時に行なわなければならず、多くの費用と時間がかかつていた。また複雑な配線作業を複数の装置について行なわなければならないため、多くの労力がかかつていた。
【０００４】
一方、光である赤外線を使うようにすると、図１２に示すように、データを空間に送る事ができるため、専用の配線１２１、１２２は不要になる。しかしながら、赤外線の発光ダイオード（ＬＥＤ）を用いたデータ通信は、従来から一部で行なわれていたが、長い距離にデータを送る場合、ＬＥＤのリードフレームの構造上の制約から、流せる電流が限られており、結果として、通信状態を保つには、多くの数のランプが必要であり、コストがかかっていた。流せる電流が限られる理由は、図１３から明らかなように、ランプ５１１を構成するＬＥＤ４１１のリードフレーム８１１の断面積が小さいことから、動作しているＬＥＤ４１１で発生した熱を、外部に伝える道が狭いため、熱を外に早く逃がす事ができないからである。
【０００５】
さらに、従来は左右の広範囲に配光させる事ができるランプがなかった。そのため、図１４に示すように、いくつかのＬＥＤのランプ５１１を組み合わせて、その特性を実現していた。しかしながら、このランプ装置６１１では、複数個ののランプ５１１を組み合わせて作られているため、組み立ての手間がかかり、装置全体が大きなものとなる問題点があった。また、いくつかのランプ５１１を組み合わせた場合、図１５に示すように、配光パターン７１１は、水平方向が広くできても、鉛直方向８１１には、不要な光が出てしまい、電力が無駄に使われている問題点があった。
【０００６】
【発明が解決しようとする課題】
要約すると、広範囲な水平方向の光パターンを実現し、遠くの距離まで光をとばすために、ランプを複数個組み合わせたものは従来から見られるが、組み立ての手間がかかり、加えて鉛直方向には無駄な光も出ていた。
【０００７】
本発明は上述の諸問題を解決する目的から開発されたものである。具体的に述べると、本発明の目的は、光が水平方向にのみ広がるようなミラー装置と、大電流を流しても十分な放熱性が得られるリードフレームと、を開発することによって、一つのランプ装置であっても、広範囲な水平方向の配光パターンを実現することにある。
【０００８】
【課題を解決するための手段】
本発明者はかかる課題を解決するために鋭意研究したところ、図１３に示す従来型ランプのレンズ形状を変更しただけでは、光を水平方向に広範囲に広げ、かつ鉛直方向への無駄な光を小さくするには限界があることがわかった。
本発明者は新規なミラー装置を組合せる事により、光ビームの指向性に関する所定の半値角を得ることを見いだし、さらにこの光ビームを遮らず、かつ、大電流動作時のＬＥＤから発せられる熱を効率よく装置外部に導くための熱伝導性のよいリードフレームの構造を開発し、本発明に至った。
【０００９】
すなわち、本発明は、少なくとも、内面に放物面を有する長手のトラフ形の主ミラーと、この主ミラーの前記長手方向の両端にそれぞれ傾斜して配置されて、当該主ミラーの内面を開放するようにして設けられた一対の平面ミラーと、これら平面ミラーにそれぞれ対向して前記主ミラーの焦点距離に配置された光通信用の２個の無指向性の発光素子と、これら発光素子のそれぞれに配設されて前記平面ミラーに該発光素子からの光の一部を反射するとともに該発光素子からの光の残部が前記主ミラー内面に向かうように設けられた皿形の小ミラーと、を備えていることを特徴とした光通信用ランプ装置である。
【００１０】
また、本発明は少なくとも、内面に放物面を有し、この放物面の焦点距離Ａが２±０．１ｍｍとなる、長手のトラフ形の主ミラーと、このトラフ形ミラーを前記長手方向に左右に分ける中心軸線から、距離Ｂが６．５±０．１ｍｍで、前記主ミラーの内底からの高さＣが、１．０±０．１ｍｍである位置に、中心が配置されると共に前記主ミラーの内底に対する角度Ｄが３５±１度で、前記主ミラーの内面を開放するようにして設けられた一対の平面のミラーと、前記主ミラーを前記長手方向に左右に分ける中心軸線から、距離Ｅが５．９±０．１ｍｍで、前記主ミラーの内底からの高さが、前記焦点距離Ａである位置に配設された、光通信用の２個の無指向性の発光素子と、これら発光素子のそれぞれに配置されると共に、皿形であって、底面の直径Ｆが０．５８±０．０３ｍｍで、深さＧが０．２±０．０３ｍｍであり、周壁の開き角度Ｈが９０±２度であって、前記平面のミラーに該発光素子からの光の一部を反射するとともに該発光素子からの光の残部が前記主ミラー内面に向かうように設けられた小ミラーと、を備えていることを特徴とした光通信用ランプ装置である。
【００１１】
さらに、本発明は、前記主ミラーならびに一対の平面のミラーによって形成される、角リング形の開口に設置されて、幅Ｊが１３±１ｍｍで、奥行Ｋが７．４±１ｍｍである開口部を有すると共に、厚さＩが０．１〜５ｍｍであるリードフレームを備えていることを特徴とした光通信用のランプ装置である。
【００１２】
【発明の実施の形態】
本発明者は前述した課題を解決するために、まず鉛直方向への光の広がりを押さえるために、図３の断面概略図に示すように、ＬＥＤなどの発光素子４を、内面が放物面のトラフ形になる主ミラー１の焦点距離におき、光が平行な光線になるようにした。なお、焦点距離Ａは、後記するように、２±０．１ｍｍが望ましい。
つぎに、水平方向の光を広範囲に広げるために、平面から見た断面概略図である図４に示すように、放物面トラフ形の主ミラー１の両端に、それぞれＬＥＤの発光素子４を置き、それに相対向して平面ミラー２を傾斜してそれぞれ配設した。
【００１３】
詳しく説明すると、焦点距離Ａが２±０．１ｍｍとなるような放物面トラフ形の、やや長手の主ミラー１の両端に、この主ミラー１を左右に分ける中心軸線１Ｃから、左右両方の距離Ｂが６．５±０．１ｍｍで、主ミラー１の内底からの高さＣが１．０±０．１ｍｍである位置にそれぞれ、平面のミラー２の中心を位置し、さらに、主ミラー１の内底からの角度Ｄを、３５±１度に傾けて、それぞれのミラー２を配置した。
【００１４】
さらに、本発明者は、ＬＥＤの発光素子４の光を、この平面ミラー２に多く当てるために、図５の要部断面概略図に示すように、ＬＥＤの発光素子４に、深い皿形の小ミラー３を置き、ＬＥＤ発光素子４の横に広がる光を、前方に押し出すようにした。
すなわち、放物面トラフ形の主ミラー１の中心軸線１Ｃから、左右の距離Ｅが、５．９±０．１ｍｍであり、主ミラー１の内底からの高さの焦点距離Ａ（２．０±０．１ｍｍ）である位置に、底面の直径Ｆが０．５８±０．０３ｍｍ、深さＧが０．２±０．０３ｍｍ、開き角度Ｈが９０±２度の、深い皿形の２個の小ミラー３を平面ミラー２の方向に開くように設置した。
【００１５】
加えて本発明者は、反射した光が、遮られずに空間に出られるよう、図６の斜視図に示されるように、大きな開口部５を有する、ほぼ角リング形のリードフレーム６を考案した。なお、このリードフレーム６は、開口部５の奥行Ｋが７．４±１ｍｍ、幅Ｊが１３±１ｍｍであり、厚さＩが０．１〜５ｍｍ、好ましくは０．５〜３ｍｍである。
【００１６】
リードフレーム厚をこのように選定することが好ましい理由は次の通りである。
（１）リードフレーム厚が５ｍｍを越える場合、リードフレームの側面に光があたり、特に水平方向の光の広がりを遮ることになる。
（２）リードフレーム厚が０．１ｍｍを下回る場合、リードフレームの断面積が狭くなるため、動作中のチップで発生した熱を早く外に伝えることができなくなる。さらに、トラフ形主ミラーの重みを支えきれず、たわんでしまいランプの取り付けができなくなるばかりか、長時間の使用によってリードフレームの根元が折れることが予想される。
（３）フレームの側面による遮光性、熱伝導性、機械的強度を考慮すると、フレーム厚は０．５ｍｍから３ｍｍまでが好ましい範囲と言える。
【００１７】
さらに詳しく述べると、このリードフレーム６は、図６に示されるように、３つの部分から成り立っている。
左下のほぼＬ字形になる第１の部分１２は、第１のＬＥＤ発光素子４を取り付けるための、深い皿形の小ミラー３を彫り込んだ、小さな桟橋１０と、やや大きな外部接続用のリード７とを含んでいる。
上方の逆Ｕ字形になる第２の部分１３は、第１のＬＥＤ発光素子４を配線するための、小さな桟橋１０と、第２のＬＥＤ発光素子４を取り付けるための深い皿形の小ミラー３を彫り込んだ、第２の小さい桟橋１０とを含んでいる。
右下の第３の部分１４は、第２のＬＥＤ発光素子４を配線するための小さな桟橋１０とやや大きなリード７を含んでいる。なお、リードフレーム６の外周にある２個の半円形の穴１５は、取り付け用のものである。
【００１８】
さらにまた、本発明者は光を遠くの距離にとばすために、２つの工夫を行なった。一つは、図７の等価的な配線図に示されるように、ＬＥＤ発光素子４を２個、直列に接続するようにして、ＬＥＤ発光素子４が１個の場合よりも、２倍の光量が得られるようにしたことである。もう一つは、ＬＥＤ発光素子４に大きな電流を流し、光量を増やせるようにしたことである。言い換えると、動作中に発生する熱でＬＥＤ発光素子４が壊れないように、外部への熱伝導性をよくするために、材料を選択すると共に、厚板からなるリードフレーム６を採用したことである。
これらをまとめた本発明の実施形態が、図１の斜視図ならびに図２の断面概略図に示されている。
【００１９】
【実施例】
以下に本発明を、その実施例について、添付の図面を参照して説明する。
図１は、本発明によるランプ装置の一実施例を示す斜視図であり、図２は、図１の線ａから見た断面図である。
図８は、本発明の実施例による効果を示すための、鉛直方向の配光パターンを示す図であり、図９は本発明の実施例による効果を示すための、水平方向の配光パターンを示す図である。
図１は、本発明による実施例の構造を概略的に示している。図１において、ランプ装置Ｌは、放物面トラフ形の主ミラー１の両端を平面ミラー２で斜めにふさぎ、これらのミラーで形成される、四角リング形の全縁を、大きな開口部５を有する、厚みのあるリードフレーム６で縁取りするように支持し、さらに、平らな窓１１で、補強したものとなっている。
【００２０】
リードフレーム６には、深い皿型の小ミラー３が平面ミラー２の方向に開かれ、すなわち対向して配され、この中に、光源であるＬＥＤ発光素子４が、配置されている。
図２を用いて、取り付け位置についてさらに詳しく説明する。まず、放物面ミラーの焦点距離に、無指向性の光源を置くと、ミラーから反射した光の進み方が、平行となる事を利用して、鉛直方向の光の広がりを押さえる目的で、放物面トラフ形の主ミラー１の焦点距離Ａに、光源であるＬＥＤの発光素子４を取り付ける。
【００２１】
さらに説明すると、水平方向の光を左右に大きく広げるために、放物面トラフ形の主ミラー１の中心軸線１Ｃから、各端の距離Ｅに、さきのＬＥＤ発光素子４を配置し、その真下に、中心軸線１Ｃからの距離Ｂ、主ミラー１の底からの高さＣの位置に、平板ミラー２の中心を位置するように角度Ｄを傾けて、ミラー２をそれぞれ配置する。
平板のミラー２に、ＬＥＤ発光素子４からの光を多く当てるために、底面の直径Ｆ、深さＧ、開き角度Ｈの、深い皿型の小ミラー３を、焦点距離Ａと同じ高さの左右の距離Ｅのそれぞれに配置する。なお、深い皿型の小ミラー３は、リードフレーム６の一部を彫り込むなどして作成する。また、ＬＥＤの発光素子４は、小ミラー３の底面中央に接着し、通電ができるように配線９をしておく。配線９の結果、２個のＬＥＤ発光素子４は、図７に示されるように、直列接続されることになる。
リードフレーム６は、熱伝導性をよくする目的から、図６に示すように、厚さをＩとし、主ミラー１ならびにミラー２からの光を遮ることの無いように幅Ｊ、高さ、すなわち奥行Ｋの開口部５を設ける。開口部５の両端には、ＬＥＤなどの発光素子４の取り付け、および配線９のための桟橋１０がつくられるが、長さ、幅ともに１．２ｍｍ程度であるため、配光パターンが乱れることはない。
【００２２】
さらに開口部５には、図２に示されるように、高さ、すなわち、厚さＴが１ｍｍの透明な硬質平板からなる平らな窓１１を取り付ける。この窓１１は、リードフレーム６を、ミラー装置と平らな窓１１とで挟み込むことになるため、結果として、リードフレーム６がミラー装置を支える構造を、補強していることになる。なお、この平らな窓１１を取り付けることによる配光パターンへの影響はない。
本発明の実施例について、さらに詳しく説明する。まず、リードフレーム６は、厚さ１．０ｍｍ、幅１７ｍｍ、奥行１５ｍｍの無酸素銅板を用いて、幅１ｍｍの２個のリード７を、長さ５ｍｍが飛び出すような形状にした。無酸素銅は熱伝導率が０．９３ｃａｌ／ｃｍ・ｓｅｃ・℃であり、動作中のＬＥＤ発光素子の熱を外部に伝える性能に優れているため採用した。
【００２３】
さらに、リードフレーム６には、幅Ｊが１３ｍｍ、奥行Ｋが７．４ｍｍの開口部５を設け、開口部５の幅方向の両端には、ＬＥＤ発光素子４を取り付け、配線９を施すために、長さ１．２ｍｍ、幅１．２ｍｍの桟橋１０を、１．０ｍｍの間隔をあけて、それぞれ飛び出させた。
桟橋１０の間隔は、配線９を施すことが可能であれば、どの様な距離でも構わないが、ＬＥＤ発光素子４を取り付けるための桟橋１０は、リードフレーム６の幅Ｊ方向の線ａに近い中心軸線上に設定することが望ましい。
【００２４】
さらに、ＬＥＤ発光素子４を取り付けるためのリードフレーム６の両端の桟橋１０には、図２に示されるように、リードフレーム６の中心軸線、すなわち、主ミラー１の中心軸線１Ｃからの距離Ｅが、左右５．９±０．１ｍｍの位置に、底面の直径Ｆが０．５８±０．０３ｍｍ、深さＧが０．２±０．０３ｍｍ、開き角度Ｈが、９０±２度になるような、深い皿形を彫り込だ。したがって、このリードフレーム６は、図６に示すように、３つの部分から成り立っている。
第Ｉの部分１２は、第１のＬＥＤ発光素子４を取り付ける、深い皿形の小ミラー３を彫り込んだ桟橋１０とリード７とを含む部分であり、第２の部分１３は、第１のＬＥＤ発光素子４に配線９を施すための桟橋１０と、第２のＬＥＤ発光素子４を取り付ける、深い皿形の小ミラー３を彫り込んだ桟橋１０を含む部分であり、第３の部分１４は、第２のＬＥＤ発光素子４に配線９を施すための桟橋１０と、リード７とを含む部分から成り立っている。さらに、図６に示すように、各種の装置に容易にネジで取り付けられるように、直径２．３ｍｍの穴１５を２つ開けた。
【００２５】
最後に、リードフレーム６には、光を反射させる目的で、下地厚さ１μｍのニッケルメツキ、その上に、厚さ２μｍの銀メッキを全面に施して使用した。
また、ＬＥＤ発光素子４には、発光波長が８８０ｎｍ、応答周波数が１２Ｍｈｚ、光出力が直流２０ｍＡで２．０ｍＷの、赤外線発光ダイオードを、２個用いた。ＬＥＤの発光素子４の寸法は、図示を省略したが、１辺が３７０μｍの角形で、高さ１６０μｍであり、ＬＥＤ発光素子４の上部に、直径１４０μｍの金電極が付いており、直径３０μｍの金線にて配線９を施した。
【００２６】
主ミラー１に類似する、放物面トラフの両端の所定の位置を、所定の角度で、ミラー２に類似する平面で切り取った形の、凹型の金型（図示略）と、平らな窓１１を形成するための、凹型の金型（図示略）との間に、ＬＥＤ発光素子４が取り付けられたリードフレーム６を、ＬＥＤ発光素子４がミラー２の平面に向くように挟み込み、この金型の一部に開口したゲートから、透明エポキシ樹脂を注入し、所定の温度と時間とで硬化させた後、これらを金型から取り出した。
主ミラー１ならびにミラー２は、金型から取り出した樹脂部分に、銀を蒸着する方法によって作成した。さらに、これらのミラー面に容易にキズが付かないように、アクリル樹脂をスプレーによりコーティングした。
なお、銀を蒸着する際、リードフレーム６とミラー界面とで、電気的なショートが起こらないように、リードフレーム６から間隔０．１ｍｍの距離までマスクを施し、銀が蒸着されない部分を設けた。
【００２７】
図２で示した各寸法、角度がそれぞれ、Ａ＝２±０．１ｍｍ、Ｂ＝６．５±０．１ｍｍ、Ｃ＝１．０±０．１ｍｍ、Ｄ＝３５±１度、Ｅ＝５．９±０．１ｍｍ、Ｆ＝０．５８±０．０３ｍｍ、Ｇ＝０．２±０．０３ｍｍ、Ｈ＝９０±２度となるようにして、図１に示すランプ装置Ｌを作成した。
その配光パターンを測定したところ、鉛直方向では図８に示すパターンが、水平方向では図９に示すパターンが得られた。なお、図８ならびに図９は、図示のように、横軸に角度の目盛りを取り、縦軸には放射強度比をデシベル単位で取った。したがって、ランプ装置Ｌの光を発する正面の窓１１は、左右上下９０度の位置になることになる。
【００２８】
図８の鉛直方向のパターンによると、光の相対放射強度が−３ｄｂ以下となる角度は、ランプ装置Ｌの正面方向−４度から＋６度の狭い範囲内であり、従来から問題になっていた鉛直方向の光の漏れを、押さえることができた。
図９の水平方向のパターンによると、光の相対放射強度が−３ｄｂ以下となる角度は、ランプ装置Ｌの正面水平方向±７２度の広い範囲内となり、従来から行なわれていた、複数個のランプを様々な角度に取り付けることなく、一つのランプでも、広い範囲の配光パターンが得られることが分かった。
図１０は、本発明により作成されたランプ装置Ｌの動作中のＬＥＤ発光素子４の発熱量を、常温常湿の環境において測定した結果を示している。なお、図１０の横軸は、ランプ装置Ｌに流す直流電流値を示しており、縦軸は動作中のＬＥＤ発光素子４の発熱量であるＰＮ接合の温度を示している。図１０から明らかなように、ランプ装置Ｌに流す電流が増すほど、ＬＥＤ発光素子４は発熱する。
【００２９】
ＬＥＤ発光素子４は、高いＰＮ接合温度で動作し続けると疲労し、長時間の動作では、ついには故障してしまう。この限界温度の目安を１２０℃とすると、図１３に示すような通常のランプ５１１では、この限界温度になる電流値は、１２０〜１８０ｍＡであることが分かっているが、本発明によるランプ装置Ｌでは、電流が２５０〜３００ｍＡまで流すことができた。すなわち、本発明の場合、大電流を流すことにより、光の出力を大きくする事ができ、光をより遠くまで飛ばすことが可能となった。
リードフレーム６に、適当な放熱フィンを取り付けると、さらに効率よく熱を空間に発散できるようになるため、流せる電流はさらに、直流４００〜４５０ｍＡ程度まで増やすことが可能である。
したがって、従来の場合、複数個のランプを組み合わせて使用されるが、本発明によると、一つのランプ装置Ｌで、広い範囲の水平な光を、遠くの距離まで飛ばすことができた。
【００３０】
【発明の効果】
以上のように、本発明によると、反射ミラーならびにリードフレームを、所定の形状、サイズ、位置、角度で組み合わせる事によって、一個のランプ装置であっても、左右に長い水平距離について、直線上の送信が可能になるという、大きな効果が得られることになる。
また、本発明によるランプ装置は、複数個のランプを組み合わせることなく、有用な配光パターンと光出力とが得られるため、コンパクトな装置が得られるという大きな効果がある。
【図面の簡単な説明】
【図１】本発明による一実施例を示す斜視図である。
【図２】図１の線ａから見た概略的な断面図である。
【図３】本発明の実施例による放物面トラフ形の主ミラーの効果を示すための概略断面図である。
【図４】本発明の実施例による平面のミラーの効果を示すための概略断面図である。
【図５】本発明の実施例による深い皿型の小ミラーの効果を示す概略断面図である。
【図６】本発明の実施例によるリードフレームの例を示す斜視図である。
【図７】本発明による実施例の等価回路である。
【図８】本発明の実施例による効果を示すための、鉛直方向の配光パターン図である。
【図９】本発明の実施例による効果を示すための、水平方向の配光パターン図である。
【図１０】本発明の実施例による効果を示すための、電流対ＰＮ接合温度の特性図である。
【図１１】従来の使用状態を示すための概略的な斜視図である。
【図１２】他の従来の使用状態を示すための概略的な斜面図である。
【図１３】従来例の斜視図である。
【図１４】従来例の実装状態を示す斜視図である。
【図１５】従来例の配光パターンを示す図である。
【符号の説明】
１  放物面トラフ形の主ミラー
２  平面ミラー
３  深い皿形の小ミラー
４  ＬＥＤなどの発光素子
５  開口部
６  リードフレーム
７  リード
９  配線
１０  桟橋
１１  平らな窓
【図１】
0003751083.tif 000002
【図２】
0003751083.tif 000003
【図３】
0003751083.tif 000004
【図４】
0003751083.tif 000005
【図５】
0003751083.tif 000006
【図６】
0003751083.tif 000007
【図７】
0003751083.tif 000008
【図８】
0003751083.tif 000009
【図９】
0003751083.tif 000010
【図１０】
0003751083.tif 000011
【図１１】
0003751083.tif 000012
【図１２】
0003751083.tif 000013
【図１３】
0003751083.tif 000014
【図１４】
0003751083.tif 000015
【図１５】
0003751083.tif 000016